(57)【要約】【課題】電線の価格や線長などに応じてジョイントの接続位置を効率よく設定することのできるジョイントの位置最適化システムを提供する。【解決手段】情報処理部１１により、ワイヤハーネス２０の設計図面を読み込んで電線２４、固定補機２１およびノード２２に関する情報を取得する処理と、この情報に基づいて、ワイヤハーネス２０の経路図を作成する処理と、ワイヤハーネス２０の経路図のすべてのノード２２の位置にジョイント２３の仮接続位置を設定する処理と、設定された前記ジョイント２３の仮接続位置に基づいて、ジョイント２３に接続される電線２４の線長を算出して線長に基づく電線２４の総線長および総価格を算出し、データ記憶部１２などに記憶させる処理と、データ記憶部１２などの線長情報または価格情報に基づいて、ノード２２の位置をジョイント２３の接続位置として決定する処理と、を行う。【選択図】図３
2015201146.tif 000002
【特許請求の範囲】
【請求項１】
少なくとも情報処理部と、記憶部と、入力部とを備え、
前記情報処理部は、
あらかじめ作成されたワイヤハーネスの設計図面を読み込み、電線、固定補機およびノードに関する情報を取得する処理と、
前記情報に基づいて、ワイヤハーネスの経路図を作成する処理と、
前記ワイヤハーネスの経路図のすべてのノード位置にジョイントの仮接続位置を設定する処理と、
設定された前記ジョイントの仮接続位置に基づいて、前記ジョイントに接続される電線の線長を算出するとともに、この線長に基づく電線の総線長および総価格を算出し、前記記憶部に記憶させる処理と、
前記記憶部の線長情報または価格情報に基づいて、前記ノードの位置をジョイントの接続位置として決定する処理と、
を行うことを特徴とするジョイントの位置最適化システム。
【請求項２】
前記記憶部の線長情報または価格情報に基づいて、前記ジョイントの接続位置を線長優先にするかまはた価格優先にするかを、前記入力部により選択可能としたことを特徴とする請求項１に記載のジョイントの位置最適化システム。
【請求項３】
前記情報処理部は、前記記憶部の線長情報に基づいて前記ジョイントの接続位置を線長優先で決定する場合は、前記記憶部に記憶されている電線の総線長の中で、最も短くなる総線長の前記ノード位置を前記ジョイントの接続位置とし、前記記憶部の価格情報に基づいて前記ジョイントの接続位置を価格優先で決定する場合は、前記記憶部に記憶されている電線の総価格の中で、最も低価格となるノード位置をジョイントの接続位置とすることを特徴とする請求項１または請求項２に記載のジョイントの位置最適化システム。
【請求項４】
少なくとも情報処理部と、記憶部と、入力部とを備えたコンピュータに、
あらかじめ作成されたワイヤハーネスの設計図面を読み込み、電線、固定補機およびノードに関する情報を取得する処理と、
前記情報に基づいて、ワイヤハーネスの経路図を作成する処理と、
前記ワイヤハーネスの経路図のすべてのノード位置にジョイントの仮接続位置を設定する処理と、
設定された前記ジョイントの仮接続位置に基づいて、前記ジョイントに接続される電線の線長を算出するとともに、この線長に基づく電線の総線長および総価格を算出し、前記記憶部に記憶させる処理と、
前記記憶部の線長情報または価格情報に基づいて、前記ノードの位置をジョイントの接続位置として決定する処理と、
を行なわせることを特徴とするジョイントの位置最適化プログラム。
【請求項５】
前記記憶部の線長情報または価格情報に基づいて、前記ジョイントの接続位置を線長優先にするか価格優先にするかを、前記入力部により選択可能としたことを特徴とする請求項４に記載のジョイントの位置最適化プログラム。
【請求項６】
前記コンピュータに、
前記記憶部の線長情報に基づいて前記ジョイントの接続位置を線長優先で決定する場合は、前記記憶部に記憶されている電線の総線長の中で、最も短くなる総線長の前記ノード位置を前記ジョイントの接続位置とするように処理させ、
前記記憶部の価格情報に基づいて、前記ジョイントの接続位置を価格優先で決定する場合は、前記記憶部に記憶されている電線の総価格の中で、最も低価格となるノード位置をジョイントの接続位置とするように処理させることを特徴とする請求項４または請求項５に記載のジョイントの位置最適化プログラム。
【発明の詳細な説明】
【技術分野】
【０００１】
本発明は、ジョイントの位置最適化システムおよびジョイントの位置最適化プログラムに係り、特に、電線の価格や線長などに応じてジョイントの接続位置を効率よく設定することを可能としたジョイントの位置最適化システムおよびジョイントの位置最適化プログラムに関する。
【背景技術】
【０００２】
従来から、自動車や家電製品などに組み込まれるワイヤハーネスが多く用いられており、このワイヤハーネスは、多数の電線、端子、コネクタなどから構成されている。そして、ワイヤハーネスは、使用される箇所に応じて回路構成が大きく異なるため、ワイヤハーネスの設計は、ワイヤハーネスごとに行う必要があり、極めて手間のかかるものであった。このようなワイヤハーネスの設計の手間を軽減させるため、従来から、例えば、ワイヤハーネスの電線の線長を自動的に算出する技術が開発されてきている。
【０００３】
このような自動的にワイヤハーネスの電線の線長を算出する技術として、従来、例えば、第１のキャビティ基準断面と、第１のノード基準断面と、第２のノード基準断面と、第２のキャビティ基準断面と、を設定し、各基準断面区間における区間線長を算出し、それらの区間線長を合算したものを電線の線長として出力するようにした技術が開示されている（例えば、特許文献１参照。）。
【先行技術文献】
【特許文献】
【０００４】
【特許文献１】特開２０１３−１４９０９８号公報
【発明の概要】
【発明が解決しようとする課題】
【０００５】
しかしながら、前記特許文献１に記載の技術においては、各固定補機同士を接続する電線の線長を設定することは可能であるが、例えば、ワイヤハーネスにおいて、ジョイントを接続する場合に、そのジョイントの接続位置を選定することはできないという問題がある。例えば、複数の固定補機に接続される電線を集中させ、アース線として接続するいわゆる集中ジョイントを接続する場合、ワイヤハーネスの種々の位置に接続することが可能であるが、従来、このような集中ジョイントを接続する場合は、ワイヤハーネスの設計者により任意に設定されていた。そのため、ジョイントの接続箇所によっては、電線の無駄が生じたり、電線の価格が高価になったりして、電線の価格や線長などに応じてジョイントの接続位置を効率よく設定することができないという問題を有している。
【０００６】
本発明は前記した点に鑑みてなされたものであり、電線の価格や線長などに応じてジョイントの接続位置を効率よく設定することのできるジョイントの位置最適化システムおよびジョイントの位置最適化プログラムを提供することを目的とするものである。
【課題を解決するための手段】
【０００７】
前記目的を達成するために本発明に係るジョイントの位置最適化システムは、少なくとも情報処理部と、記憶部と、入力部とを備え、
前記情報処理部は、あらかじめ作成されたワイヤハーネスの設計図面を読み込み、電線、固定補機およびノードに関する情報を取得する処理と、前記情報に基づいて、ワイヤハーネスの経路図を作成する処理と、前記ワイヤハーネスの経路図のすべてのノード位置にジョイントの仮接続位置を設定する処理と、設定された前記ジョイントの仮接続位置に基づいて、前記ジョイントに接続される電線の線長を算出するとともに、この線長に基づく電線の総線長および総価格を算出し、前記記憶部に記憶させる処理と、前記記憶部の線長情報または価格情報に基づいて、前記ノードの位置をジョイントの接続位置として決定する処理と、を行うことを特徴とする。
【０００８】
この構成によれば、線長情報または価格情報に基づいて、ノードの位置をジョイントの接続位置として決定するようにしているので、線長情報または価格情報に基づいて、ジョイントの接続位置を効率よくかつ適正に設定することができる。しかも、ワイヤハーネスの設計において、ジョイントの接続位置を線長情報に基づいて決定した場合は、電線の無駄をなくすことができ、ジョイントの接続位置を価格情報に基づいて決定した場合は、材料価格を低減させることができる。
【０００９】
また、本発明は、前記構成において、前記記憶部の線長情報または価格情報に基づいて、前記ジョイントの接続位置を線長優先にするかまたは価格優先にするかを、前記入力部により選択可能としたことを特徴とする。この構成によれば、ジョイントの接続位置を線長優先にするかまたは価格優先にするかを、入力部により選択可能としているので、ワイヤハーネスの設計者の意図に応じた適正なジョイントの配置を行うことができる。
【００１０】
また、本発明は、前記構成において、前記情報処理部は、前記記憶部の線長情報に基づいて前記ジョイントの接続位置を線長優先で決定する場合は、前記記憶部に記憶されている電線の総線長の中で、最も短くなる総線長の前記ノード位置を前記ジョイントの接続位置とし、前記記憶部の価格情報に基づいて前記ジョイントの接続位置を価格優先で決定する場合は、前記記憶部に記憶されている電線の総価格の中で、最も低価格となるノード位置をジョイントの接続位置とすることを特徴とする。この構成によれば、線長優先で決定する場合は、最も短くなる総線長のノード位置をジョイントの接続位置とし、価格優先で決定する場合は、最も低価格となるノード位置をジョイントの接続位置とするようにしているので、線長優先か価格優先かに応じて、ジョイントの接続位置を効率よくかつ適正に設定することができる。しかも、ワイヤハーネスの設計において、ジョイントの接続位置を線長優先で決定した場合は、電線の無駄をなくすことができ、ジョイントの接続位置を価格優先で決定した場合は、材料価格を低減させることができる。
【００１１】
また、本発明に係るジョイントの位置最適化プログラムは、少なくとも情報処理部と、記憶部と、入力部とを備えたコンピュータに、
あらかじめ作成されたワイヤハーネスの設計図面を読み込み、電線、固定補機およびノードに関する情報を取得する処理と、前記情報に基づいて、ワイヤハーネスの経路図を作成する処理と、前記ワイヤハーネスの経路図のすべてのノード位置にジョイントの仮接続位置を設定する処理と、設定された前記ジョイントの仮接続位置に基づいて、前記ジョイントに接続される電線の線長を算出するとともに、この線長に基づく電線の総線長および総価格を算出し、前記記憶部に記憶させる処理と、前記記憶部の線長情報または価格情報に基づいて、前記ノードの位置をジョイントの接続位置として決定する処理と、を行なわせることを特徴とする。
【００１２】
この構成によれば、線長情報または価格情報に基づいて、ノードの位置をジョイントの接続位置として決定するようにしているので、線長情報または価格情報に基づいて、ジョイントの接続位置を効率よくかつ適正に設定することができる。しかも、ワイヤハーネスの設計において、ジョイントの接続位置を線長情報に基づいて決定した場合は、電線の無駄をなくすことができ、ジョイントの接続位置を価格情報に基づいて決定した場合は、材料価格を低減させることができる。
【００１３】
また、本発明は、前記構成において、前記記憶部の線長情報または価格情報に基づいて、前記ジョイントの接続位置を線長優先にするか価格優先にするかを、前記入力部により選択可能としたことを特徴とする。この構成によれば、ジョイントの接続位置を線長優先にするかまたは価格優先にするかを、入力部により選択可能としているので、ワイヤハーネスの設計者の意図に応じた適正なジョイントの配置を行うことができる。
【００１４】
また、本発明は、前記構成において、前記コンピュータに、前記記憶部の線長情報に基づいて前記ジョイントの接続位置を線長優先で決定する場合は、前記記憶部に記憶されている電線の総線長の中で、最も短くなる総線長の前記ノード位置を前記ジョイントの接続位置とするように処理させ、前記記憶部の価格情報に基づいて、前記ジョイントの接続位置を価格優先で決定する場合は、前記記憶部に記憶されている電線の総価格の中で、最も低価格となるノード位置をジョイントの接続位置とするように処理させることを特徴とする。この構成によれば、線長優先で決定する場合は、最も短くなる総線長のノード位置をジョイントの接続位置とし、価格優先で決定する場合は、最も低価格となるノード位置をジョイントの接続位置とするようにしているので、線長優先か価格優先かに応じて、ジョイントの接続位置を効率よくかつ適正に設定することができる。しかも、ワイヤハーネスの設計において、ジョイントの接続位置を線長優先で決定した場合は、電線の無駄をなくすことができ、ジョイントの接続位置を価格優先で決定した場合は、材料価格を低減させることができる。
【発明の効果】
【００１５】
本発明によれば、線長情報または価格情報に基づいて、ノードの位置をジョイントの接続位置として決定するようにしているので、線長情報または価格情報に基づいて、ジョイントの接続位置を効率よくかつ適正に設定することができる。しかも、ワイヤハーネスの設計において、ジョイントの接続位置を線長情報に基づいて決定した場合は、電線の無駄をなくすことができ、ジョイントの接続位置を価格情報に基づいて決定した場合は、材料価格を低減させることができる。
【図面の簡単な説明】
【００１６】
【図１】本発明に係るジョイントの位置最適化システムの実施形態を示すシステム構成図である。
【図２】本発明に係るジョイントの位置最適化システムの実施形態におけるワイヤハーネスの経路図を示す説明図である。
【図３】本発明に係るジョイントの位置最適化システムの実施形態におけるワイヤハーネスの経路図にジョイントを仮接続した状態を示す説明図である。
【図４】本発明に係るジョイントの位置最適化システムの実施形態におけるワイヤハーネスの経路図のジョイントを移動させた状態を示す説明図である。
【図５】本発明に係るジョイントの位置最適化システムの実施形態におけるワイヤハーネスの経路図のジョイントをさらに移動させた状態を示す説明図である。
【図６】本発明に係るジョイントの位置最適化システムの実施形態におけるワイヤハーネスの経路図の線長優先でジョイントの接続位置を決定した状態を示す説明図である。
【図７】本発明に係るジョイントの位置最適化システムの実施形態におけるワイヤハーネスの経路図の価格優先でジョイントの接続位置を決定した状態を示す説明図である。
【図８】本発明に係るジョイントの位置最適化システムの実施形態における動作を示すフローチャートである。
【発明を実施するための形態】
【００１７】
以下、本発明に係るジョイントの位置最適化システムの実施形態について図面を参照して詳細に説明する。
【００１８】
図１は、本実施形態におけるジョイントの位置最適化システムのシステム構成を示すブロック図である。位置最適化システム１０は、情報処理部１１と、記憶部としてのデータ記憶部１２と、記憶部としてのプログラム記憶部１３と、記憶部としてのデータベース部１４と、表示部１５と、入力部１６とをそれぞれ備えている。ジョイント位置最適化システム１０として、例えば、汎用のコンピュータを用いる場合には、情報処理部１１としてＣＰＵが、データ記憶部１２としてメモリが、プログラム記憶部１３およびデータベース部１４としてハードディスクドライブが、表示部１５としてディスプレイが、入力部１６としてキーボードやマウスなどがそれぞれ対応するものである。
【００１９】
データベース部１４には、ワイヤハーネスを設計する際の、例えば、電線の線種、電線の線径、電線の重量（単位長さあたり）、電線の価格（単位長さあたり）などの情報があらかじめ記憶されている。また、プログラム記憶部１３には、ＣＡＤ（Ｃｏｍｐｕｔｅｒ  Ａｉｄｅｄ  Ｄｅｓｉｇｎ）などのワイヤハーネスを設計するための一般的なプログラムおよび本実施形態の位置最適化システム１０の動作を行う位置最適化プログラムがそれぞれ記憶されている。
【００２０】
情報処理部１１は、ワイヤハーネスの設計者が入力部１６を操作することにより、ＣＡＤのプログラムを起動させて、設計者の操作に応じて所望のワイヤハーネスの設計図面を作成する。このワイヤハーネスの設計図面は、データ記憶部１２またはデータベース部１４に記憶されるように構成されている。
【００２１】
続いて、位置最適化プログラムを起動させることにより、情報処理部１１は、作成された設計図面に基づいて情報取得処理を行うように構成されている。この情報取得処理は、例えば、設計されたワイヤハーネスに用いられる電線の配置位置情報および電線が接続される固定補機の位置情報を取得するものであり、これらの情報を取得することにより、電線の本数、電線の線長、電線の線種、電線と固定補機との接続位置および電線のノード位置を取得することができるように構成されている。ここで、ノードとは、設計図面上に表示されている電線の分岐点や電線を設置する際の固定点などを表す採寸点をいう。このような情報取得処理により、情報処理部１１は、図２に示すように、ワイヤハーネス２０における固定補機２１とノード２２との接続状態が示されたワイヤハーネス２０の経路図を作成する。なお、図２から図７においては、説明の便宜上、固定補機２１およびノード２２に数字を付してある。
【００２２】
次に、設計者が入力部１６を操作することにより、図３に示すように、情報処理部１１は、ワイヤハーネス２０の経路図の任意のノード２２の位置にジョイント２３の仮接続位置を設定する。このジョイント２３は、本実施形態においては、例えば、複数の固定補機２１に接続される電線２４を集中させ、アース線として接続するいわゆる集中ジョイント２３の場合の例を示している。なお、図３から図５においては、ジョイント２３と各固定補機２１とを接続する電線２４のイメージを破線で示す。
【００２３】
情報処理部１１は、設定されたジョイント２３の仮接続位置に基づいて、ジョイント２３と各固定補機２１との間に接続されている電線２４の線長をそれぞれ算出するように構成されている。具体的には、図３においては、ジョイント２３とノード（２）２２およびノード（１）２２を経由した固定補機（１）２１との間の電線２４の線長、ジョイント２３とノード（２）２２を経由した固定補機（２）２１との間の電線２４の線長、ジョイント２３とノード（２）２２、ノード（１）２２およびノード（３）２２を経由した固定補機（３）２１との間の電線２４の線長、ジョイント２３とノード（２）２２を経由した固定補機（４）２１との間の電線２４の線長をそれぞれ算出するものである。
【００２４】
そして、情報処理部１１は、データベース部１４に格納されている電線２４に用いる線種情報、線径情報、質量情報、価格情報を用いて、それぞれの電線２４の線長に単位あたり価格または単位あたり質量を掛けることにより、該当する電線２４の総価格と総質量を算出し、データ記憶部１２またはデータベース部１４に記憶させておく。この場合に、データベース部１４に記憶されている線種情報に基づいて、線径の小さい細物線を用いる電線２４の場合は、電線２４の線長に、細物線の単位あたり価格または細物線の単位あたり質量を掛けることにより、該当する電線２４の総価格と総質量を算出するものであり、線径の太い太物線を用いる電線２４の場合は、電線２４の線長に、太物線の単位あたり価格または太物線の単位あたり質量を掛けることにより、該当する電線２４の総価格と総質量を算出するものである。
一方、情報処理部１１は、算出された各電線２４の線長に基づいて、各固定補機２１に接続される電線２４の総線長を算出し、データ記憶部１２またはデータベース部１４に記憶させておく。
【００２５】
また、情報処理部１１は、図４に示すように、ワイヤハーネス２０の経路図に基づいて、ジョイント２３の仮接続位置を別のノード２２の位置に移動させるものであり、同様に、この移動させたジョイント２３の仮接続位置における各電線２４の総価格と総質量を算出するとともに、各固定補機２１に接続される電線２４の総線長を算出し、データ記憶部１２またはデータベース部１４に記憶させておく。
【００２６】
具体的には、図４においては、ジョイント２３の仮位置をノード（２）２２からノード（１）２２に移動させた場合の例を示すものであり、図４においては、ジョイント２３とノード（１）２２を経由した固定補機（１）２１との間の電線２４の線長、ジョイント２３とノード（１）２２およびノード（２）２２を経由した固定補機（２）２１との間の電線２４の線長、ジョイント２３とノード（１）２２およびノード（３）２２を経由した固定補機（３）２１との間の電線２４の線長、ジョイント２３とノード（１）２２およびノード（２）２２を経由した固定補機（４）２１との間の電線２４の線長をそれぞれ算出するものである。
【００２７】
そして、情報処理部１１は、ワイヤハーネス２０の経路図に基づいて、ジョイント２３の仮接続位置をさらに別のノード２２の位置に移動させるものであり、同様に、この移動させたジョイント２３の仮接続位置における各電線２４の総価格と総質量を算出するとともに、各固定補機２１に接続される電線２４の総線長を算出し、データ記憶部１２またはデータベース部１４に記憶させておく。
【００２８】
具体的には、図５は、ジョイント２３の仮位置をノード（１）２２からノード（３）２２に移動させた場合の例を示すものであり、図５においては、ジョイント２３とノード（３）２２およびノード（１）２２を経由した固定補機（１）２１との間の電線２４の線長、ジョイント２３とノード（３）２２、ノード（１）２２およびノード（２）２２を経由した固定補機（２）２１との間の電線２４の線長、ジョイント２３とノード（３）２２を経由した固定補機（３）２１との間の電線２４の線長、ジョイント２３とノード（３）２２、ノード（１）２２およびノード（２）２２を経由した固定補機（４）２１との間の電線２４の線長をそれぞれ算出するものである。
このように情報処理部１１は、ジョイント２３をすべてのノード２２の位置に移動させて総価格、総質量、総線長の算出処理を行い、データ記憶部１２またはデータベース部１４に記憶させておく。
【００２９】
そして、入力部１６により設計者が設計するワイヤハーネス２０を線長優先にするか、または価格優先にするかを選択するようになっている。線長優先が選択された場合には、情報処理部１１は、データ記憶部１２またはデータベース部１４に記憶されている総線長のうち、ジョイント２３の仮接続位置ごとの電線２４の総線長の中で、最も短くなる総線長のノード２２の位置をジョイント２３の接続位置として決定するように構成されている。一方、価格優先が選択された場合には、情報処理部１１は、データ記憶部１２またはデータベース部１４に記憶されている総価格のうち、ジョイント２３の仮接続位置ごとの電線２４の総価格の中で、最も低価格となるノード２２の位置をジョイント２３の接続位置として決定するように構成されている。
【００３０】
具体的には、例えば、図６に示すように、固定補機（１）２１および固定補機（２）２１と、ジョイント２３とを接続する電線２４は細物線で構成され、固定補機（３）２１と、ジョイント２３とを接続する電線２４は太物線で構成されるワイヤハーネス２０の場合、ノード（１）２２にジョイント２３を接続した場合には、固定補機（３）２１とジョイント２３の間の電線２４が太物線で、価格が高く質量も大きい場合であっても、総線長に関しては最も短くなるため、線長優先が選択された場合、ノード（１）２２の位置がジョイント２３の接続位置として決定されるものである。一方、ノード（２）２２にジョイント２３を接続した場合には、固定補機（１）２１および固定補機（２）２１とジョイント２３の間の電線２４が細物線で、価格が低く質量も小さいことから、ノード（２）２２までの距離が長い場合であっても、総価格に関しては最も低くなるため、価格優先が選択された場合、ノード（２）２２の位置がジョイント２３の接続位置として決定されるものである。
【００３１】
次に、本実施形態の動作について、図８に示すフローチャートを参照して説明する。
【００３２】
本実施形態においては、まず、ワイヤハーネス２０の位置最適化プログラムを動作させることにより、あらかじめ設計者が作成したワイヤハーネス２０の設計図面を読み込み、情報処理部１１により電線２４の配置位置情報および電線２４が接続される固定補機２１の位置情報などの情報を取得する（ＳＴ１）。
【００３３】
次に、取得した情報に基づいて、ワイヤハーネス２０の経路図を作成する（ＳＴ２）。そして、ワイヤハーネス２０の経路図の任意のノード２２の位置にジョイント２３の仮接続位置を設定する（ＳＴ３）。情報処理部１１により、設定されたジョイント２３の仮接続位置に基づいて、ジョイント２３と各固定補機２１との間に接続されている電線２４の線長をそれぞれ算出する（ＳＴ４）。そして、情報処理部１１により、この算出された線長に基づいて、データベース部１４に格納されている電線２４に用いる線種情報、線径情報、重量情報、価格情報を用いて、それぞれの電線２４の総価格と総質量を算出するとともに、各固定補機２１に接続される電線２４の総線長を算出し、データ記憶部１２またはデータベース部１４に記憶させておく（ＳＴ５）。
【００３４】
そして、すべてのノード２２の位置にジョイント２３を仮接続していない場合には（ＳＴ６：ＮＯ）、情報処理部１１により、ワイヤハーネス２０の経路図に基づいて、ジョイント２３の仮接続位置を別のノード２２の位置に移動させる（ＳＴ７）。同様に、移動させたジョイント２３の仮接続位置に基づいて、情報処理部１１により、ジョイント２３と各固定補機２１との間に接続されている電線２４の線長をそれぞれ算出し（ＳＴ４）、この算出された線長に基づいて、各電線２４の総価格と総質量を算出し、データ記憶部１２またはデータベース部１４に記憶させておく（ＳＴ５）。
【００３５】
そして、すべてのノード２２の位置にジョイント２３を仮接続した場合には（ＳＴ６：ＹＥＳ）、入力部１６により設計するワイヤハーネス２０を線長優先にするか、または価格優先にするかを選択するものであり（ＳＴ８）、線長優先が選択された場合には（ＳＴ８：線長優先）、情報処理部１１により、データ記憶部１２またはデータベース部１４に記憶されているジョイント２３の仮接続位置ごとの電線２４の総線長の中で、最も短くなる総線長のノード２２の位置をジョイント２３の接続位置として決定する（ＳＴ９）。
【００３６】
一方、価格優先が選択された場合には（ＳＴ８：価格優先）、情報処理部１１により、データ記憶部１２またはデータベース部１４に記憶されているジョイント２３の仮接続位置ごとの電線２４の総価格の中で、最も低価格となるノード２２の位置をジョイント２３の接続位置として決定する（ＳＴ１０）。
【００３７】
以上述べたように本実施形態においては、ジョイント２３の接続位置を線長優先であるか価格優先であるかに基づいて、効率よくかつ適正に設定することができる。しかも、ワイヤハーネス２０の設計において、線長優先の場合には、電線２４の無駄をなくすことができ、価格優先の場合には、材料価格を低減させることができ、ワイヤハーネス２０の設計者の意図に応じた適正なジョイント２３の配置を行うことができる。
【００３８】
なお、前記実施形態においては、電線２４の総線長または総価格のいずれかを優先させる設定を行うようにしたが、質量に基づいて最も軽量となるようことを優先させてジョイント２３の接続位置を設定するようにしてもよい。また、図６および図７に示す例では、線種が２種類で、価格が２種類の場合について説明したが、線種および価格を３種類以上に設定してもよい。
【００３９】
さらに、前記実施形態においては、線長優先であるか価格優先であるかを選択させるようにしているが、あらかじめ線長優先であるか、価格優先であるかを決定しておくことで、自動的にジョイント２３の接続位置を設定するようにしてもよい。
【００４０】
また、本発明は前記実施形態に限定されるものではなく、本発明の趣旨に基づいて種々の変形が可能である。
【符号の説明】
【００４１】
１０  位置最適化システム
１１  情報処理部
１２  データ記憶部
１３  プログラム記憶部
１４  データベース部
１５  表示部
１６  入力部
２０  ワイヤハーネス
２１  固定補機
２２  ノード
２３  ジョイント
２４  電線
【図１】
2015201146.tif 000003
【図２】
2015201146.tif 000004
【図３】
2015201146.tif 000005
【図４】
2015201146.tif 000006
【図５】
2015201146.tif 000007
【図６】
2015201146.tif 000008
【図７】
2015201146.tif 000009
【図８】
2015201146.tif 000010